(57)【要約】【課題】施工時に行われる沸き上げ試運転が極めて容易に行えるヒートポンプ式給湯機に関するものである。【解決手段】圧縮機２２、水冷媒交換器２３、膨張弁２４、及び室外ファン２５を有する空気熱交換器２６を冷媒配管で環状に接続したヒートポンプ回路２７と、湯を貯える貯湯タンク２を有し、この貯湯タンク２と前記水冷媒交換器２３とは、どちらかに循環ポンプ３１を備えたヒーポン注ぎ管２８とヒーポン戻り管２９とからなる加熱循環回路３０で連通したもので、前記貯湯タンク２への水張り後、加熱循環回路３０のエアを抜いてから沸き上げ試運転を行うようにしたので、人が張り付く必要がなく、極めて簡単に沸き上げ及びエア抜きの確認が行えるものであり、時間の浪費や人件費の大きな削減が可能で使用勝手が良いものである。【選択図】  図１
2006250505.tif 000002
【特許請求の範囲】
【請求項１】
圧縮機、水冷媒交換器、膨張弁、及び室外ファンを有する空気熱交換器を冷媒配管で環状に接続したヒートポンプ回路と、湯を貯える貯湯タンクを有し、この貯湯タンクと前記水冷媒交換器とは、どちらかに循環ポンプを備えたヒーポン注ぎ管とヒーポン戻り管とからなる加熱循環回路で連通したものに於いて、前記貯湯タンクへの水張り後、加熱循環回路のエアを抜いてから沸き上げ試運転を行う事を特徴とするヒートポンプ式給湯機。
【請求項２】
前記沸き上げ試運転は、器具本体やリモコンに備えられた試運転スイッチの操作で開始される事を特徴とする請求項１記載のヒートポンプ式給湯機。
【請求項３】
前記沸き上げ試運転は、貯湯タンク内湯水の温度上昇を検知して終了する事を特徴とする請求項１及び２記載のヒートポンプ式給湯機。
【請求項４】
前記沸き上げ試運転の終了後には、正常、異常を表示或いはブザーで報知する事を特徴とする請求項１から３記載のヒートポンプ式給湯機。
【発明の詳細な説明】
【技術分野】
【０００１】
この発明は、ヒートポンプ回路を利用して、給湯を行うヒートポンプ式給湯機に関するものである。
【背景技術】
【０００２】
従来よりこの種のヒートポンプ式給湯機では、深夜電力を利用して、高温高圧の冷媒と低温水とを効率よく熱交換し、貯湯タンク内に翌日使用する湯水を高温水として貯湯して、順次給水とミキシングしながら、設定温度の給湯を行い経済的な給湯を実現するものであった。（例えば、特許文献１）
【特許文献１】特許第３０５５４０６号公報
【発明の開示】
【発明が解決しようとする課題】
【０００３】
ところで、この従来のものでは、ヒーポン側のエア抜き栓を開けて、加熱循環回路内のエア抜きを行っており、そして、このエアが完全に抜けたかを確認する為に、沸き上げ運転を行い正常に動作するかを、実際に通常運転することで確認していた。その為に、常に人が張り付いていなくてはならず、アパートやマンション等の一度に数多くの器具を設置する集合物件では、この確認だけで多くの作業員が必要であったり、多くの時間を費やすもので、極めて作業性が悪いと言う問題点を有するものであった。
【課題を解決するための手段】
【０００４】
この発明はこの点に着目し、上記問題点を解決する為、請求項１では、圧縮機、水冷媒交換器、膨張弁、及び室外ファンを有する空気熱交換器を冷媒配管で環状に接続したヒートポンプ回路と、湯を貯える貯湯タンクを有し、この貯湯タンクと前記水冷媒交換器とは、どちらかに循環ポンプを備えたヒーポン注ぎ管とヒーポン戻り管とからなる加熱循環回路で連通したものに於いて、前記貯湯タンクへの水張り後、加熱循環回路のエアを抜いてから沸き上げ試運転を行うものである。
【０００５】
又請求項２では、前記沸き上げ試運転は、器具本体やリモコンに備えられた試運転スイッチの操作で開始されるものである。
【０００６】
又請求項３では、前記沸き上げ試運転は、貯湯タンク内湯水の温度上昇を検知して終了するものである。
【０００７】
又請求項４では、前記沸き上げ試運転の終了後には、正常、異常を表示或いはブザーで報知するものである。
【発明の効果】
【０００８】
この発明によれば、施工して貯湯タンクへの水張り後、加熱循環回路のエア抜きを行ってから沸き上げ試運転を自動で行い、湯水温度の上昇を検知してこの沸き上げ試運転を終了させるので、人が張り付く必要がなく、極めて簡単に沸き上げ及びエア抜きの確認が行えるものであり、時間の浪費や人件費の大きな削減が可能で使用勝手が良いものである。
【０００９】
更に沸き上げ試運転の正常、異常はリモコンの表示や報知で知ることが出来、、又試運転終了まで別の仕事が出来、極めて効率的であり使用便利である。
【発明を実施するための最良の形態】
【００１０】
次にこの発明の一実形態のヒートポンプ式給湯機を図面に基づいて説明する。
１は貯湯タンクユニットで内方には、湯水を貯湯する貯湯タンク２と、該貯湯タンク２の上部に接続された出湯管３と、貯湯タンク２の下部に接続された給水管４と、出湯管３からの高温水と給水管４から分岐された給湯バイパス管５からの低温水とをミキシングする給湯ミキシング弁６と、該給湯ミキシング弁６の下流に接続された給湯管７に設けられた給湯温度センサ８及び給湯フロースイッチ９とが備えられている。
【００１１】
更に貯湯タンクユニット１内には、貯湯タンク２上部と風呂循環回路１０とを結ぶ湯張り回路１１が設けられ、この湯張り回路１１には貯湯タンク２からの高温水と給湯バイパス管５から分岐した風呂バイパス管１２からの低温水とをミキシングする風呂ミキシング弁１３と、湯張り回路１１を開閉する湯張り電磁弁１４、湯張り量をカウントする湯張り流量カウンタ１５とが備えられており、又前記風呂循環回路１０には、風呂の水位を検知する水位センサ１６、風呂循環ポンプ１７、風呂フロースイッチ１８、貯湯タンク２内上部に備えられた風呂熱交換器１９及び、該風呂熱交換器１９をバイパスする風呂三方弁２０が備えられている。
【００１２】
２１はヒートポンプユニットで、圧縮機２２と凝縮器としての水冷媒熱交換器２３と電子式の膨張弁２４と室外ファン２５を有し空気と熱交換する蒸発器としての空気熱交換器２６で構成されたヒートポンプ回路２７と、前記貯湯タンク２内の湯水をヒーポン往き管２８及びヒーポン戻り管２９から成る加熱循環回路３０を介して水冷媒熱交換器２３に循環させる循環ポンプ３１と、それらの駆動を制御するヒーポン制御部３２とを備えており、ヒートポンプ回路２７内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１３】
ここで、前記水冷媒熱交換器２３は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の水冷媒熱交換器２３入口温度と冷媒の出口温度との温度差が一定になるように前記膨張弁２４または圧縮機２２を制御することで、被加熱水の水冷媒熱交換器２３の入口温度が５〜２０℃程度の低い温度であるとＣＯＰ（エネルギー消費効率）がとても良い状態で被加熱水を加熱することが可能なものである。
【００１４】
又ヒーポン往き管２８には、止水栓３３が備えられ、ヒーポン戻り管２９途中には戻しバイパス弁３４が備えられ、凍結防止時には戻しバイパス弁３４を貯湯タンク２下部の給水管４に接続した凍結防止バイパス管３５側の連通に切替ることで、貯湯タンク２内下部を利用した短絡回路の循環として凍結を防止するもので、循環ポンプ３１と戻しバイパス弁３４は貯湯タンクユニット１内に位置するものである。
【００１５】
３６はマイコン等から成る給湯制御部で、ヒーポン制御部３２を制御して加熱循環回路３０による貯湯タンク２の沸き上げや沸き増し等、給湯の温度制御、風呂の湯張りや追い焚き、保温等の制御を行うものであり、又リモコン３７に設けられた試運転スイッチ３８の押圧によって、湯張り回路１１の風呂ミキシング弁１３を水側１００％開口状態からお湯側１００％状態に切替と共に、湯張り電磁弁１４を開成し、湯張り回路１１を利用して施工後の貯湯タンク２内のエアを抜きながらの水張りを行うものであり、その後引き続いて循環ポンプ３１を駆動して加熱循環回路３０のエア抜きを所定時間行った後に、沸き上げ試運転を行い所定温度の沸き上げ目標温度を所定時間継続することで、沸き上げ試運転を終了するものである。
【００１６】
３９は前記給湯制御部３６内に構成されたタイマーで、試運転スイッチ３８の押圧でカウントを開始し、ここでは３０分の所定時間のカウントアップで、給湯制御部３６を介して風呂ミキシング弁１３を元の水側１００％に戻すと共に、湯張り電磁弁１４を閉成し湯張り回路１１を利用した水張りを終了させるものである。
【００１７】
更に前記リモコン３７には、試運転スイッチ３８の他に、給湯スイッチ４０、給湯設定温度を設定する温度設定スイッチ４１、風呂への湯張りを指示する湯張りスイッチ４２、湯張り量を設定する湯張り量設定スイッチ４３を有し、更にドットマトリクス型の蛍光表示管よりなる表示部４４と、この表示部４４を制御すると共に前記給湯制御部３６との通信を行うマイコンで構成されたリモコン制御部４５が備えられている。
【００１８】
又前記加熱循環回路３０の水冷媒熱交換器２３の入水側には入水温度センサ４６が備えられ入水温度を検知するものであり、出口側には出口温度センサ４７が備えられて、加熱後の湯水温度を検知するものであり、貯湯タンク２に備えられた該貯湯タンク２内の湯水温度を検知する複数の貯湯温度センサ４８のうち、出口温度センサ４７と最上部の貯湯温度センサ４８のどちらかが沸き上げ目標温度ここでは３０℃を継続して検知することで沸き上げ試運転を終了させるものである。
【００１９】
４９は加熱循環回路３０のエア抜き開始から終了までの時間をカウントすると共に、沸き上げ試運転開始から終了までの時間をカウントする試運転タンマーで、エア抜き運転を３０分で終了させ、更に当然沸き上げ試運転で沸き上げ目標温度になるはずの所定時間１〜２時間経過しても、目標温度に達しない時には、リモコン３７の表示部４４に「沸き上げ異常」の表示を行わせたり、ブザーで報知させるもので、一方所定時間前に沸き上げ試運転が終了することで、正常状態を示す「沸き上げ終了」の表示や、ブザーで報知するようにするものである。
【００２０】
５０は給湯管７に接続する逆止弁付止水栓、５１は貯湯タンク２頂部に連通した逃がし弁、５２は給水管４に備えられた減圧弁であり、それより上流側には止水栓５３が設けられており、５４は貯湯タンク２底部に連通した排水栓、５５は加熱循環回路３０に連通したドレン栓である。
【００２１】
次にこの一実施形態の作動について説明する。
今器具を設置し、給湯回路や風呂循環回路１０、給水管４、給湯管７の回路をそれぞれ配管接続した後、電源に接続して施工は終了するものであり、次にリモコン３７の試運転スイッチ３８を押圧すれば（ステップ５６）、ＹＥＳで試運転開始の信号が給湯制御部３６に出力され、この給湯制御部３６がステップ５７で湯張り回路１１の風呂ミキシング弁１３を水側１００％開口状態からお湯側１００％状態に切替と共に、湯張り電磁弁１４を開成し、予め設定された所定時間ここでは３０分のカウントをタイマー３９に開始させる。
【００２２】
これにより、湯張り回路１１から風呂循環回路１０を介して風呂より、貯湯タンク２内のエアが抜かれ、そしてこの貯湯タンク２内に給水管４よりの給水で水張りが行われるものであり、特別な部品を設けることなく、湯張り回路１１を利用して貯湯タンク２内のエア抜きと水張りが自動的に行われ、極めて便利で且つ使用勝手が良いものである。
【００２３】
そして、ステップ５８に進みタイマー３９が３０分のカウントアップすると、ＹＥＳでステップ５９に進んで給湯制御部３６を介して風呂ミキシング弁１３を元の水側１００％に戻すと共に、湯張り電磁弁１４を閉成し湯張り回路１１を利用した水張りを終了させるものであり、この時リモコン３７には「水張り終了」を文字表示すると共に、ブザー音で報知する。
又このタイマー３９による３０分のカウントは、試験で予め貯湯タンク２が満水になる時間を設定しているもので、当然貯湯タンク７の容量が変わればこの所定時間も変更されるものである。
【００２４】
次にリモコン３７の表示はそのままの状態で止水栓３３が開成状態では、ステップ６０に進み循環ポンプ３１を駆動させて、加熱循環回路３０内のエアを貯湯タンク２内の水を循環させることで抜き、抜いたエアは逃がし弁５１や給湯や湯張りをすることで順次器具外へ排出される。
【００２５】
そして、ステップ６１で試運転タイマー４９が所定時間ここでは３０分経過すると、ＹＥＳでステップ６２に進み循環ポンプ３１を一旦停止させ、更にステップ６３に進んでヒートポンプユニット２１を駆動させると共に、循環ポンプ３１を再び駆動させ沸き上げの試運転が自動的に開始されるものである。
【００２６】
この沸き上げ試運転開始後、ステップ６４でヒートポンプユニット２１で加熱後の湯水温度が沸き上げ目標温度に達したことを出口温度センサ４７或いは最上部の貯湯温度センサ４８が検知すると、ＹＥＳでステップ６５に進みヒートポンプユニット２１及び循環ポンプ３１を停止して、沸き上げ試運転を終了させると共に、正常に沸き上げ運転が行われたことを「沸き上げ終了」の表示とブザーで報知するものである。
【００２７】
ステップ６４でＮＯの場合には、ステップ６６に進み試運転タイマー４９がカウントアップしたかを判断し、ＹＥＳの場合は、ステップ６７でヒートポンプユニット２１及び循環ポンプ３１を強制的に停止すると共に、「沸き上げ異常」を表示しブザーでこれを報知する。
【００２８】
次にこの貯湯式給湯装置は、夜間時間帯になると、前記給湯制御部３６が翌日に必要な貯湯熱量を演算し、この目標となる貯湯熱量を夜間時間帯の終了までに沸き上げるように指示してヒートポンプユニット２１を作動させ、加熱循環回路３０の循環ポンプ３１を駆動開始する。そして、循環ポンプ３１の駆動により貯湯タンク２下部から取り出された湯水が加熱され、貯湯タンク２の上部に戻されることにより、高温の湯が貯湯される。
【００２９】
そして、貯湯タンク７の側面に設けられた貯湯温度センサ４８が所定の量の高温水が貯湯されたことを検出すると、給湯制御部３６がヒートポンプユニット２１へ加熱動作の停止を指示し、循環ポンプ３１の作動が停止され、夜間時間帯の終了時までに貯湯作業を終了するものである。
【００３０】
この状態で給湯栓（図示せず）を開口すると貯湯タンク２上部の高温水が出湯管３がら給湯ミキシング弁６で給水とミキシングされて設定温度の給湯となって給湯管７を介して供給され、貯湯タンク２にはこの給湯で減少した分の給水が給水管４から供給されて、温水を押し上げ順次これを繰り返して良好な給湯が行われるものである。
【００３１】
次に図４と図５に示す第一の他の実施形態を説明するが、この一実施形態と同一部分は同一符号を付し説明を省略して相違点のみ説明する。
図４はタイマー３９の替わりに風呂循環回路１０に備えられている風呂フロースイッチ１８を利用して貯湯タンク２内の水張り終了を検知するもので、該風呂フロースイッチ１８を給湯制御部３６の入力側に接続したものである。
【００３２】
そして作動では、リモコン３７の試運転スイッチ３８を押圧すれば（ステップ５６）、ＹＥＳでステップ６８に進み先ず風呂ミキシング弁１３を水側１００％開口状態のままで、湯張り電磁弁１４を開成して少量の水を呼び水として風呂フロースイッチ１８に供給し、ステップ６９で湯張り流量カウンタ１５が所定流量をカウントすることで呼び水を終了とし、ＹＥＳでステップ７０に進み一旦湯張り電磁弁１４を閉成した後、ステップ７１で湯張り回路１１の風呂ミキシング弁１３を水側１００％開口状態からお湯側１００％状態に切替と共に、湯張り電磁弁１４を開成することにより、湯張り回路１１を利用しての貯湯タンク２内のエア抜きと水張りが行われるものである。
【００３３】
更にステップ７２に進み貯湯タンク２が満水になると、湯張り回路１１を介して風呂循環回路１０に水が流れ込むので、これを風呂フロースイッチ１８が検知して、ＹＥＳでステップ５９に進んで給湯制御部２９を介して風呂ミキシング弁１３を元の水側１００％に戻すと共に、湯張り電磁弁１４を閉成し湯張り回路１１を利用した水張りを終了させるものであり、リモコン３７には「水張り終了」を文字表示すると共に、ブザー音で報知し、風呂フロースイッチ１８により水流を検知しての水張り終了検知であるので、確実に水張りが終了したことを検知出来、極めて安心して使用出来るものである。
【００３４】
又ステップ７２でＮＯの場合は、ステップ７３に進んで試運転スイッチ３８の押圧による試運転開始からの時間をカウントする安全タイマー７４が、所定の安全時間をオーバーしても風呂フロースイッチ１８が水流を検知しない時には、異常と判断しＹＥＳでステップ７５に進み湯張り電磁弁１４を強制的に閉成し、リモコン３７の表示部４４に「水張りエラー」を文字表示すると共に、警報音で報知するもので、安全を確実に確保出来、試運転時に人がそこに居なくとも、安心して自動の試運転が出来るものである。
【００３５】
次にリモコン３７の表示はそのままの状態で止水栓３３が開成状態では、ステップ６０に進み循環ポンプ３１を駆動させて、加熱循環回路３０内のエアを貯湯タンク２内の水を循環させることで抜き、抜いたエアは逃がし弁５１や給湯や湯張りをすることで順次器具外へ排出される。
【００３６】
そして、ステップ６１で試運転タイマー４９が所定時間ここでは３０分経過すると、ＹＥＳでステップ６２に進み循環ポンプ３１を一旦停止させ、更にステップ６３に進んでヒートポンプユニット２１を駆動させると共に、循環ポンプ３１を再び駆動させ沸き上げの試運転が自動的に開始されるものである。
【００３７】
この沸き上げ試運転開始後、ステップ６４でヒートポンプユニット２１で加熱後の湯水温度が沸き上げ目標温度に達したことを出口温度センサ４７或いは最上部の貯湯温度センサ４８が検知すると、ＹＥＳでステップ６５に進みヒートポンプユニット２１及び循環ポンプ３１を停止して、沸き上げ試運転を終了させると共に、正常に沸き上げ運転が行われたことを「沸き上げ終了」の表示とブザーで報知するものである。
【００３８】
ステップ６４でＮＯの場合には、ステップ６６に進み試運転タイマー４９がカウントアップしたかを判断し、ＹＥＳの場合は、ステップ６７でヒートポンプユニット２１及び循環ポンプ３１を強制的に停止すると共に、「沸き上げ異常」を表示しブザーでこれを報知する。
【００３９】
次に図６〜図８に示す第二の他の実施形態を同様にして説明すれば、湯張り流量カウンタ１５をなくし、給水管４の給湯バイパス管５の分岐部分より上流側に給水流量カウンタ７６を備えたものであり、この給水流量カウンタ７６で直接貯湯タンク２に流入する水量をカウントして満水で停止させるものである。
【００４０】
その作動は、リモコン３７の試運転スイッチ３８を押圧すれば（ステップ５６）、ＹＥＳでステップ６８に進み先ず風呂ミキシング弁１３を水側１００％開口状態のままで、湯張り電磁弁１４を開成して少量の水を呼び水として給水流量カウンタ７６に供給して、焼き付きを防止してスムースな作動を行わすものであり、ステップ７７で給水流量カウンタ７６が所定流量をカウントすることで呼び水を終了とし、ＹＥＳでステップ７０に進み一旦湯張り電磁弁１４を閉成した後、ステップ７１で湯張り回路１１の風呂ミキシング弁１３を水側１００％開口状態からお湯側１００％状態に切替と共に、湯張り電磁弁１４を開成することにより、湯張り回路１１を利用しての貯湯タンク２内のエア抜きと水張りが行われるものである。
【００４１】
更にステップ７８に進み給水流量カウンタ７６が貯湯タンク２が満水になる予め設定された流量をカウントすることで、ＹＥＳでステップ５９に進んで給湯制御部３６を介して風呂ミキシング弁１３を元の水側１００％に戻すと共に、湯張り電磁弁１４を閉成し湯張り回路１１を利用した水張りを終了させるものであり、リモコン３７には「水張り終了」を文字表示すると共に、ブザー音で報知し、給水流量カウンタ７６により貯湯タンク２へ流れる流量を検知しての水張り終了検知であるので、確実に水張りが終了したことを検知出来、極めて安心して使用出来るものである。
【００４２】
又ステップ７８でＮＯの場合は、ステップ７３に進んで試運転スイッチ３８の押圧による試運転開始からの時間をカウントする安全タイマー７４が、所定の安全時間をオーバーしても給水流量カウンタ７６が所定流量を検知しない時には、異常と判断しＹＥＳでステップ７５に進み湯張り電磁弁１４を強制的に閉成し、リモコン３７の表示部４４に「水張りエラー」を文字表示すると共に、警報音で報知するもので、安全を確実に確保出来、試運転時に人がそこに居なくとも、安心して自動の試運転が出来るものである。
【００４３】
尚、給水流量カウンタ７６が給湯バイパス管５より上流側に位置しており、貯湯タンク２への給水量のカウントが行えることにより、給湯管７に流量カウンタを設けることで、この流量カウンタとの差を演算して湯張り量を検知することも出来るものである。
【００４４】
次にリモコン３７の表示はそのままの状態で止水栓３３が開成状態では、ステップ６０に進み循環ポンプ３１を駆動させて、加熱循環回路３０内のエアを貯湯タンク２内の水を循環させることで抜き、抜いたエアは逃がし弁５１や給湯や湯張りをすることで順次器具外へ排出される。
【００４５】
そして、ステップ６１で試運転タイマー４９が所定時間ここでは３０分経過すると、ＹＥＳでステップ６２に進み循環ポンプ３１を一旦停止させ、更にステップ６３に進んでヒートポンプユニット２１を駆動させると共に、循環ポンプ３１を再び駆動させ沸き上げの試運転が自動的に開始されるものである。
【００４６】
この沸き上げ試運転開始後、ステップ６４でヒートポンプユニット２１で加熱後の湯水温度が沸き上げ目標温度に達したことを出口温度センサ４７或いは最上部の貯湯温度センサ４８が検知すると、ＹＥＳでステップ６５に進みヒートポンプユニット２１及び循環ポンプ３１を停止して、沸き上げ試運転を終了させると共に、正常に沸き上げ運転が行われたことを「沸き上げ終了」の表示とブザーで報知するものである。
【００４７】
ステップ６４でＮＯの場合には、ステップ６６に進み試運転タイマー４９がカウントアップしたかを判断し、ＹＥＳの場合は、ステップ６７でヒートポンプユニット２１及び循環ポンプ３１を強制的に停止すると共に、「沸き上げ異常」を表示しブザーでこれを報知する。
【００４８】
このように沸き上げ試運転が自動的に行われるので、そこに人がいちいち張り付く必要が無く、又正常に沸き上げがおこなわれるか、エア抜きが十分でなく異常であるかが、リモコン３７の表示部４４を見るだけで分かり、使用勝手も良く効率的で経済的な施工後の試運転が行えるものであり、更に安全タイマー７４や試運転タイマー４９によって、異常時でも最小限の駆動時間で強制的に駆動停止され、安心して使用出来るものである。
【図面の簡単な説明】
【００４９】
【図１】この発明の一実施形態を示すヒートポンプ式給湯機の沸き上げ試運転状態概略構成図。
【図２】同要部電気回路のブロック図。
【図３】同要部のフローチャート。
【図４】第一の他の実施形態を示す要部電気回路のブロック図。
【図５】同要部のフローチャート。
【図６】第二の他の実施形態の水張り状態を示す概略構成図。
【図７】同要部電気回路のブロック図。
【図８】同要部のフローチャート。
【符号の説明】
【００５０】
２  貯湯タンク
２２  圧縮機
２３  水冷媒熱交換器
２４  膨張弁
２５  室外ファン
２６  空気熱交換器
２７  ヒートポンプ回路
２８  ヒーポン往き管
２９  ヒーポン戻り管
３０  加熱循環回路
３１  循環ポンプ
３７  リモコン
３８  試運転スイッチ
４４  表示部
４７  出口温度センサ
４８  貯湯温度センサ
【図１】
2006250505.tif 000003
【図２】
2006250505.tif 000004
【図３】
2006250505.tif 000005
【図４】
2006250505.tif 000006
【図５】
2006250505.tif 000007
【図６】
2006250505.tif 000008
【図７】
2006250505.tif 000009
【図８】
2006250505.tif 000010